(57)【要約】【課題】複数の買い物客がそれぞれ所持している携帯機器のうちの一つに、商品販売に関する情報を容易に送信できる情報処理装置を提供することである。【解決手段】携帯機器４ａ〜４ｃの一つから携帯機器を識別する携帯機器識別情報と商品販売情報処理装置２ａ〜２ｃを識別する識別情報を受信するとこれらを関連づけて記憶し、前記識別情報と同じ識別情報を有する商品販売情報処理装置２ａ〜２ｃから送られてきた商品販売情報を受信すると、前記識別情報と関連づけられた携帯機器識別情報で特定される携帯機器４ａ〜４ｃに商品販売に関する情報を送信する情報処理装置１を提供する。【選択図】      図６
2004157853.tif 000002
【特許請求の範囲】
【請求項１】
複数の商品販売情報処理装置とネットワークで接続された情報処理装置において、この情報処理装置は携帯機器と直接的または間接的に交信可能に構成されており、前記携帯機器の一つから携帯機器を識別する携帯機器識別情報と商品販売情報処理装置を識別する識別情報を受信するとこれらを関連づけて記憶し、前記識別情報と同じ識別情報を有する商品販売情報処理装置から送られてきた商品販売情報を受信すると、前記識別情報と関連づけられた携帯機器識別情報で特定される携帯機器に商品販売に関する情報を送信する情報処理装置。
【請求項２】
前記商品販売情報を受信すると、この商品販売情報を前記識別情報と関連付けて記憶することを特徴とする請求項１記載の情報処理装置。
【請求項３】
前記商品販売に関する情報は、商品販売情報に含まれる商品の合計金額情報であることを特徴とする請求項１または２記載の情報処理装置。
【請求項４】
前記商品販売に関する情報は、商品販売情報に基づいて算出されたポイント情報であることを特徴とする請求項１または２記載の情報処理装置。
【請求項５】
前記商品販売に関する情報は、商品販売情報に含まれる商品のレシート情報であることを特徴とする請求項１または２記載の情報処理装置。
【請求項６】
前記携帯機器への送信は無線送信であることを特徴とする請求項１または２記載の情報処理装置。
【請求項７】
前記情報処理装置は、近距離無線通信に対応した近距離無線通信装置を介して前記携帯機器と交信可能であることを特徴とする請求項１乃至６のいずれか一記載の情報処理装置。
【請求項８】
前記近距離無線通信装置の台数は、前記商品販売情報処理装置の台数より少ない数としたことを特徴とする請求項７記載の情報処理装置。
【請求項９】
前記近距離無線通信装置を店舗の天井に設置したことを特徴とする請求項８記載の情報処理装置。
【発明の詳細な説明】
【０００１】
【発明の属する技術分野】
本発明は、顧客が所持する携帯電話、ＰＤＡ（Ｐｅｒｓｏｎａｌ  Ｄｉｇｉｔａｌ  Ａｓｓｉｓｔａｎｔｓ）等の携帯機器と商品販売情報を関連付けて処理する情報処理装置に関する。
【０００２】
【従来の技術】
商店やスーパーマーケット等の店舗で商品を購入した顧客に対して、その商品購入金額に応じたサービスポイントを付与することは一般的に行われている。顧客に付与されたポイントは磁気カード等の顧客が所有する記録媒体に累積記録され、客は次回以降の商品購入時に貯めたポイント数に応じた、値引き等のサービスを店舗から受けることができる。
【０００３】
また携帯機器の多機能化も進んでおり、最近では近距離無線通信に対応した無線装置を内蔵した携帯電話が普及し始めており、このような近距離無線通信機能を備えた携帯電話が無線通信可能エリア内に存在する場合に、通話とは別にパーソナルコンピュータ等の電子機器との間で無線でデータ通信を行える。また、ＰＤＡという携帯型の情報機器の中にも、近距離無線通信機能を内蔵して無線通信を可能にしたものがある。（例えば、特許文献１参照。）
【０００４】
このようなデータ通信を使用して携帯電話、ＰＤＡ等の携帯機器の内部メモリ等に、サービスポイント情報を記憶するようにして、磁気カードの代わりに携帯機器を利用することが実用化されつつある。
【０００５】
【特許文献１】
特開２００２−２５９５２７号公報
【０００６】
【発明が解決しようとする課題】
しかしこのポイントサービス方法を実用化するにあたっては、解決しなければならない次のような技術的な問題点が考えられる。すなわち、携帯機器と商品販売情報処理装置との間のデータ転送に無線を利用するため、たとえ近距離無線通信を採用した場合でも、商品販売情報処理装置は無線通信可能エリア内にいる複数の顧客がそれぞれ所持しているいずれの携帯機器とも同時に通信可能となる場合がある。このような場合には、商品登録を行う商品販売情報処理装置のエリア内にある複数の携帯機器のうちから商品登録を行っている顧客が所持している一つの携帯機器を特定し、この携帯機器情報と商品情報とを関連づける必要がある。そのために、予め商品販売情報処理装置に携帯機器のＩＤを登録しておき、商品販売情報処理装置と複数の携帯機器との間で交信をして、その携帯機器のＩＤが登録されていることを確認した場合に初めてその携帯機器とだけ交信ができるようにする、という複雑な処理をしなければならない。このためには事前に各商品販売情報処理装置に携帯機器のＩＤの登録が必要となる。また、各商品販売情報処理装置に携帯機器と交信をするための無線装置が必須となる。さらに、このような仕組みを構築しても、携帯機器でのサービスポイント情報の処理の普及率が増えてくると、前記ＩＤを商品販売情報処理装置に予め登録してある携帯機器が無線通信可能エリア内に同時に複数存在することもあり得るようになるため、これを防止するためには無線通信可能エリアを極端に狭く設定する必要がある。（例えば定められた台上に置かれた携帯機器とのみ通信が可能となるようなエリアの設定が必要である）
【０００７】
本発明はこのような事情に基づいてなされたものであり、その目的は、複数の買い物客がそれぞれ所持している携帯機器のうちの一つに、商品販売に関する情報を容易に送信できる情報処理装置を提供することである。
【０００８】
【課題を解決するための手段】
本発明は、携帯機器の一つから携帯機器を識別する携帯機器識別情報と商品販売情報処理装置を識別する識別情報を受信するとこれらを関連づけて記憶し、前記識別情報と同じ識別情報を有する商品販売情報処理装置から送られてきた商品販売情報を受信すると、前記識別情報と関連づけられた携帯機器識別情報で特定される携帯機器に商品販売に関する情報を送信する情報処理装置を提供するものである。
【０００９】
【発明の実施の形態】
以下、本発明の一実施の形態について図面を参照して説明する。なお、この実施の形態は、情報処理装置としてストアコンピュータ、商品販売情報処理装置としてＰＯＳ端末、携帯機器として携帯電話を用い、本発明を適用したものである。
【００１０】
図１は、本実施の形態のシステム全体図である。図１において、符号１はストアコンピュータ、２ａ、２ｂ、２ｃはＰＯＳ端末、３は前記ストアコンピュータ１とＰＯＳ端末２ａ、２ｂ、２ｃとをインライン回線で結ぶＬＡＮ（Ｌｏｃａｌ  ＡｒｅａＮｅｔｗｏｒｋ）、４ａ〜４ｃは近距離無線通信機能を備えた携帯電話である。
【００１１】
ＰＯＳ端末２ａ、２ｂ、２ｃは、それぞれ無線電波の到達距離が例えば１０ｍである近距離無線通信に対応した近距離無線通信装置５ａ、５ｂ、５ｃを備えており、この近距離無線通信装置５ａから電波の到達距離内が近距離無線通信装置５ａとの無線通信エリア６ａであり、近距離無線通信装置５ｂから電波の到達距離内が近距離無線通信装置５ｂとの無線通信エリア６ｂであり、近距離無線通信装置５ｃから電波の到達距離内が近距離無線通信装置５ｃとの無線通信エリア６ｃである。これらの無線通信エリア６ａ、６ｂ、６ｃが互いに重なるエリアが６ｄである。
【００１２】
ところで、ＰＯＳ端末２ａ、２ｂ、２ｃは、通常、約２メートルの間隔で設置されるので、ＰＯＳ端末２ａの無線通信エリア６ａ、ＰＯＳ端末２ｂの無線通信エリア６ｂ、ＰＯＳ端末２ｃの無線通信エリア６ｃがすべて重なる通信エリア６ｄ内に複数の携帯電話４ａ〜４ｃが存在する場合、これらの携帯電話４ａ〜４ｃはいずれの近距離無線通信装置５ａ、５ｂ、５ｃとも交信が可能である。これらのＰＯＳ端末２ａ、２ｂ、２ｃと近距離無線通信装置５ａ、５ｂ、５ｃは同一店舗内に設置され、携帯電話４ａ〜４ｃも同一店舗内に存在する。ストアコンピュータ１は、同一の店舗内に設置されていてもバックヤードに設置されていてもいい。
【００１３】
商品登録を行うには、バーコードスキャナ７ａ〜７ｃを用いて商品に付されたバーコードから商品情報を読み込み、これに基づいてＰＯＳ端末２ａ〜２ｃにて商品登録処理を行う。
【００１４】
次に、本実施の形態で使用されるストアコンピュータ１のハードウェア構成について図２で説明する。まず、制御部本体としてＣＰＵ（セントラル・プロセッシング・ユニット）１０を備えており、またプログラム等の固定的データが格納されたＲＯＭ（リード・オンリー・メモリ）１１、各種データを格納するメモリエリアが形成されるＲＡＭ（ランダム・アクセス・メモリ）１２、現在の日付及び時刻を計時する時計部１３、ＬＡＮ３を介してＰＯＳ端末２ａ、２ｂ、２ｃとのデータ通信を制御するＬＡＮインタフェース１４等を備えている。また、ＣＰＵ１０とＲＯＭ１１、ＲＡＭ１２、時計部１３、ＬＡＮインタフェース１４はアドレスバス、データバス等のバスライン２１で互いに接続されている。このバスライン２１には，キーボード１６を制御するキーボードコントローラ１５、ディスプレイ１８を制御する表示コントローラ１７、プリンタ２０を制御するプリンタコントローラ１９も接続されている。
【００１５】
またストアコンピュータ１は、図７に示すように、携帯電話４ａ〜４ｃのいずれかから入力されたＰＯＳ端末２ａ、２ｂ、２ｃのいずれかのＰＯＳ端末番号を記憶するエリア９１、携帯電話４ａ〜４ｃがそれぞれ有する近距離無線通信アドレスで、前記入力されたＰＯＳ端末番号とともに携帯電話から送信されてきた近距離無線通信アドレスを記憶するエリア９２、同様に携帯電話から送信された今までの買い物で累積された累計ポイント値を記憶するエリア９３、携帯電話４ａ〜４ｃのいずれかと無線接続された近距離無線通信装置が備えられたＰＯＳ端末のＰＯＳ端末番号を記憶するエリア９４、ＰＯＳ端末から送信されてくる商品取引合計金額を記憶するエリア９５、ＰＯＳ端末から送信されてくる購入した商品の名称や金額等のレシート情報を記憶するエリア９６、計算される今回ポイント値を記憶するエリア９７を記憶するテーブル９８を、ＲＡＭ１２内に形成している。
【００１６】
図３は本実施の形態で使用される携帯電話４の要部構成を示すブロック図である。すなわち携帯電話４は、制御部本体としてＣＰＵ４０を有している。また、プログラム等の固定的データが格納されたＲＯＭ４１、各種データを格納するメモリエリアが形成されるＲＡＭ４２、携帯電話基地局を介して他の携帯電話との間の通話を行う通話回路４３、送話部４６から入力された音声信号を電気信号に変換する機能と、通話回路４３から受信した電気信号を音声信号に変換して受話部４７に出力する機能とを有する電話回路４５、テンキー、ファンクション選択キー等が配設された操作部４９からの入力を制御する操作部入力回路４８、液晶ディスプレイ等の表示部５１を制御する表示コントロール回路５０等の他、近距離無線通信回路４４を内蔵している。そしてＣＰＵ４０と、ＲＯＭ４１、ＲＡＭ４２、無線回路４３、電話回路４５、操作部入力回路４８、表示コントロール回路５０及び近距離無線通信回路４４等とが、アドレスバス、データバス等のバスライン５２で接続されている。近距離無線通信回路４４には、携帯電話固有のＩＤである近距離無線通信アドレスが記憶されている。また、ＲＡＭ４２のエリア４６には、いままでの買い物によって発生した累計ポイント値が格納されている。
【００１７】
図４は本実施の形態で使用されるＰＯＳターミナル２の要部構成を示すブロック図である。すなわちＰＯＳターミナル２は、制御部本体としてＣＰＵ６０を有している。また、プログラム等の固定的データが格納されたＲＯＭ６１、各種データを格納するメモリエリアが形成されるＲＡＭ６２、現在の日付及び時刻を計時する時計部６３、ＬＡＮ３を介してのデータ通信を制御するＬＡＮインタフェース６４、キーボード６８から操作キーに対応したキー信号を取込むキーボードコントローラ６７、オペレータ用ディスプレイ７０の表示を制御する第１の表示コントローラ６９、客用ディスプレイ７２の表示を制御する第２の表示コントローラ７１、プリンタ７４の印字動作を制御するプリンタコントローラ７３及びドロワ７６の自動開放機構に開放指令信号を出力するＩ／Ｏポート７５、バーコードスキャナ７８からの信号が入力されるＩ／Ｏポート７７等の他、内蔵された近距離無線通信装置６６とデータ通信を行なう無線インタフェース６５とを備えている。そしてＣＰＵ６０と、ＲＯＭ６１、ＲＡＭ６２、時計部６３、ＬＡＮインタフェース６４、キーボードコントローラ６７、第１の表示コントローラ６９、第２の表示コントローラ７１、プリンタコントローラ７３、Ｉ／Ｏポート７５、Ｉ／Ｏポート７７、無線インタフェース６５とを、アドレスバス、データバス等のバスラインで接続している。
【００１８】
ＰＯＳ端末２ａ、２ｂ、２ｃは、いずれも無線通信エリア６ａ、６ｂ、６ｃが重なるエリア６ｄに存在する。また、近距離無線通信装置５ａ、５ｂ、５ｃは、いずれも無線通信エリア６ａ、６ｂ、６ｃが重なるエリア６ｄに存在する。ＰＯＳ端末２ａ、２ｂ、２ｃのＣＰＵ６０は、無線インタフェース６５を介して近距離無線通信装置６６を動作させて、自己のＰＯＳ端末の近距離無線通信アドレスを含む近距離無線通信機器検索信号を常に発信させている。この状態で携帯電話を持った客が商品の精算を行うためにＰＯＳ端末２ａ、２ｂ、２ｃのいずれかに並んだとする。ここでは携帯電話４ａを所有している顧客がＰＯＳ端末２ｂに並んだとする。ＰＯＳ端末２ｂの周辺は、無線通信エリア６ａ、６ｂ、６ｃが重なるエリア６ｄ内にあり、近距離無線通信回路４４が作動しているため、携帯電話４ａは近距離無線通信装置５ａ、５ｂ、５ｃから発信されている近距離無線通信機器検索信号のうちのいずれかを受信し、図１０のフローチャートで示すように制御される。ここでは近距離無線通信装置５ｃからの近距離無線通信機器検索信号を最初に受信したこととする。
【００１９】
携帯電話４ａは、近距離無線通信機器検索信号を受信すると、これに含まれる近距離無線通信装置５ｃの近距離無線通信アドレスをＲＡＭ４２に記憶する（ＳＴ４１）とともに、ＲＯＭ４１に記憶されている管理用のプログラムが起動して（ＳＴ４２）、近距離無線通信回路４４が作動する（ＳＴ４３）。そして携帯電話４ａは、自己の近距離無線通信アドレスデータをエリア４６から読み出して、これを含む応答信号を、近距離無線通信装置５ｃの近距離無線通信アドレスを相手先として送信する（ＳＴ４４）。この応答信号を近距離無線通信無線装置５ｃで受信すると、図８のフローチャートに示すように、近距離無線通信装置５ｃが備えられているＰＯＳ端末２ｃのＲＡＭ６２に携帯電話４ａの近距離無線通信アドレスを記憶する（ＳＴ５１）。このようにして、ＰＯＳ端末２ｃと携帯電話４ａとが互いの近距離無線通信アドレスを認識する。ＰＯＳ端末２ｃは、近距離無線通信アドレスを認識したことを携帯電話４ａに通信する（ＳＴ５２）。
【００２０】
携帯電話４ａがこれを受け取ったことを確認したら、管理用のプログラムは、図１０に示すように、次に商品登録を行っているＰＯＳ端末の番号の入力を要求する（ＳＴ４６）。ＰＯＳ端末２ａにはＰＯＳ端末番号「１」が、ＰＯＳ端末２ｂにはＰＯＳ端末番号「２」が、ＰＯＳ端末２ｃにはＰＯＳ端末番号「３」がシール貼付等で表示されているので、客は現在自分が商品登録を行っているＰＯＳ端末番号を目視してこれを入力する。本実施の形態ではＰＯＳ端末２ｂに並んでいるので、携帯電話４ａのテンキーを押下して「２」を入力する。ＰＯＳ端末の番号が入力されると（ＳＴ４７）、近距離無線通信回路４４が作動して、携帯電話４ａのＲＡＭ４２に記憶されている今までの累計ポイント値を読み出して（ＳＴ４８）、入力されたＰＯＳ端末番号とともにＰＯＳ端末２ｃに送信する（ＳＴ４９）。
【００２１】
ＰＯＳ端末２ｃのＣＰＵ６０は、携帯電話４ａからの信号を近距離無線通信装置６６を介して受信したことを、無線インタフェース６５に入力される信号により検知したならば、受信信号に含まれるＰＯＳ端末番号「２」と累計ポイント値を、先に記憶した携帯電話４ａの近距離無線通信アドレス、そして自己のＰＯＳ端末２ｃの番号「３」とともにＬＡＮ３を介してストアコンピュータ１に送信する。ここで、ＰＯＳ端末２ｃの番号「３」をストアコンピュータ１に送付するのは、少なくとも携帯電話４ａとＰＯＳ端末２ｃの近距離無線通信装置６６とは互いに交信可能であることが確認されているため、以降の携帯電話４ａとの交信をＰＯＳ端末２ｃの近距離無線通信装置６６を介して行うためである。
【００２２】
ストアコンピュータ１は、携帯電話４ａからの応答信号として送信されてきたＰＯＳ端末番号「２」、今回利用ポイント値、携帯電話の近距離無線通信アドレス、無線接続されたＰＯＳ端末番号「３」のデータをストアコンピュータ１のＬＡＮインタフェース１４より受信すると、図５のフローチャートに基づいて処理を行う。
【００２３】
すなわち、そのデータに含まれるＰＯＳ端末番号「２」がすでにテーブル９８のエリア９１に存在するか否かを判断し（ＳＴ１１）、あればその欄を削除し（ＳＴ１２）、なければエリア９１にＰＯＳ端末番号「２」を書き込んで、対応する欄のエリア９２に携帯電話４ａの近距離無線通信アドレスを記憶し、エリア９３に累計ポイント値を記憶し、エリア９４にＰＯＳ端末番号「３」を記憶する（ＳＴ１３）。
【００２４】
一方、図９のフローチャートに示すように、ＰＯＳ端末２ｂは、バーコードスキャナ７８を用いて読取られた商品情報に基づいて商品登録を処理し（ＳＴ３１）、絞め処理が行われると（ＳＴ３２）、精算処理を行う（ＳＴ３３）とともに、ＰＯＳ端末２ｂは商品取引データである商品取引合計金額とレシート情報とＰＯＳ端末番号「２」をストアコンピュータ１に送信する（ＳＴ３４）。
【００２５】
ストアコンピュータ１は、ＰＯＳ端末２ｂから商品販売データを受信すると、図６のフローチャートに示すように、これに含まれているＰＯＳ端末番号「２」に基づいて、図７のテーブル９８のＰＯＳ端末番号「２」の欄のエリア９５に商品取引合計金額データを記憶し、エリア９６にレシート情報を記憶する（ＳＴ２１）。また、商品取引合計金額とポイントを付与する基準金額とから今回の金額に基づく今回ポイント値を算出してエリア９７に記憶する（ＳＴ２２）。そして、今回ポイント値と累計ポイント値を加算して合計ポイント値を算出し、合計ポイント値、商品取引合計金額、レシート情報および携帯電話４ａの近距離無線通信アドレスを、ＰＯＳ端末２ｃの番号「３」を付して送信する（ＳＴ２３）。そして、テーブル９８のＰＯＳ端末番号「２」に対応したエリア９１〜９７に記憶された全てのデータをクリアする（ＳＴ２４）。
【００２６】
受信したＰＯＳ端末「３」は、携帯電話４ａの近距離無線通信アドレスを付して、これらの合計ポイント値、商品取引合計金額、レシート情報を、近距離無線通信装置６６を介して携帯電話４ａに送信する。
【００２７】
携帯電話４ａは、ＰＯＳ端末２ａから受信した合計ポイント値、商品取引合計金額、レシート情報を、携帯電話４ａのＲＡＭ４２に保存する。
【００２８】
このように、本実施の形態によれば、携帯電話４ａから商品登録を処理しているＰＯＳ端末番号を入力してストアコンピュータ１に送信し、ストアコンピュータ１でこの携帯電話４ａから受信したＰＯＳ端末番号に対応して携帯端末４ａの近距離無線通信アドレス、携帯電話４ａから受信した今までの累計ポイント値、無線接続されたＰＯＳ端末番号を記憶する。ＰＯＳ端末から送信されてきた商品登録に伴う商品取引合計金額、レシート情報、を同じＰＯＳ端末番号に対応させて記憶し、さらに今回ポイント値を算出して同様に同じＰＯＳ端末番号に対応させて記憶する。そして、記憶した累計ポイント値と今回ポイント値とを加算した合計ポイント値、商品取引合計金額、レシート情報を無線接続されたＰＯＳ端末を介して関連している携帯電話４ａに送信できる。
【００２９】
なお、本実施の形態ではＰＯＳ端末１台１台に近距離無線通信装置６６を設けたシステムに本発明を適用したが、これに限らず、近距離無線通信装置をＰＯＳ端末の台数より少ない台数、例えば１台または複数台を、ＰＯＳ端末とは離れた例えば店舗内の天井等に設け、商品の登録をしようとしている全ての顧客の携帯電話が近距離無線通信装置の近距離無線通信通信エリアに含まれるようにしたシステム等に適用しても良い。この場合、すべてのＰＯＳ端末に並んだ顧客の携帯電話は、１台または複数台の近距離無線通信装置からの電波の到達距離内に存在するようにする。この場合、電波の伝送に対する障害物が少ないなるべく上方位置、例えば店舗内の天井に近距離無線通信装置を設置することが、近距離無線通信装置をＰＯＳ端末の台数より少ない台数とするうえで好ましい。
【００３０】
また、本実施の形態では、ストアコンピュータ１から携帯電話４ａに送信する商品販売に関する情報として、合計ポイント値、商品取引合計金額、レシート情報を送信するようにしたが、これに限らず、合計ポイント値、商品取引合計金額、レシート情報のいずれか一つ、あるいは合計ポイント値と商品取引合計金額、合計ポイント値とレシート情報、商品取引合計金額とレシート情報のいずれか二つの組み合せを送信するようにしてもよい。
【００３１】
この場合、商品販売に関する情報として合計ポイント値が送信されると、携帯電話４ａ（携帯端末）で累計ポイント値を把握できるとともに、次回の買い物時にこの値を基に更なる合計ポイント値を計算することができる。また、商品販売に関する情報として商品取引合計金額が送信されると、今回の買い物の合計金額が携帯電話４ａ（携帯端末）で把握でき、金銭の授受に役立つ。さらに、商品販売に関する情報としてレシート情報が送信されると、携帯電話４ａ（携帯端末）にレシート情報を記憶することが可能となり、紙でのレシートの受取りが不要となる。
【００３２】
さらに、本実施の形態では、携帯端末として携帯電話を使用したが、これに限らずＰＤＡ（Ｐｅｒｓｏｎａｌ  Ｄｉｇｉｔａｌ  Ａｓｓｉｓｔａｎｔｓ）等を用いてもよい。
【発明の効果】
以上のように、本発明によれば、携帯端末に対して容易に商品販売に関する情報を送信することができる。
【図面の簡単な説明】
【図１】本発明の一実施の形態を示すシステム図
【図２】同ストアコンピュータを示すブロック図
【図３】同携帯電話を示すブロック図
【図４】同ＰＯＳ端末を示すブロック図
【図５】同ストアコンピュータの制御を示すフローチャート
【図６】同ストアコンピュータの制御を示すフローチャート
【図７】同ストアコンピュータのテーブルを示すメモリマップ
【図８】同ＰＯＳ端末の制御を示すフローチャート
【図９】同ＰＯＳ端末の制御を示すフローチャート
【図１０】携帯電話の制御を示すフローチャート
【符号の説明】
１・・・ストアコンピュータ（情報処理装置）
２ａ〜２ｃ・・・ＰＯＳ端末（商品販売情報処理装置）
４ａ〜４ｃ・・・携帯電話（携帯機器）
【図１】
2004157853.tif 000003
【図２】
2004157853.tif 000004
【図３】
2004157853.tif 000005
【図４】
2004157853.tif 000006
【図５】
2004157853.tif 000007
【図６】
2004157853.tif 000008
【図７】
2004157853.tif 000009
【図８】
2004157853.tif 000010
【図９】
2004157853.tif 000011
【図１０】
2004157853.tif 000012